(57)【要約】【課題】プローブなど表示画面の明るさを検出する装置を移動させる必要なしに輝度調整を行えるようにする。【解決手段】輝度調整システムにおいて、撮像装置は、表示装置の表示画面を撮像して撮像画像を取得する。角度取得部は、表示画面における点である測定点から、撮像装置を通り表示画面に対して垂直な平面に下ろした垂線の足である垂直面上基準点について、撮像装置と測定点とを結ぶ線分と、撮像装置と垂直面上基準点とを結ぶ線分との角度、または、撮像装置と垂直面上基準点とを結ぶ線分と垂直面上基準点における表示画面の法線との角度の、少なくともいずれか一方を取得する。目標輝度設定部は、角度取得部が取得した角度に基づいて、測定点における目標輝度を設定する。測定輝度取得部は、撮像画像に基づいて、測定点における測定輝度を取得する。輝度調整部は、目標輝度と測定輝度とに基づいて表示画面の輝度調整を行う。【選択図】図１
2014212422.tif 000002
【特許請求の範囲】
【請求項１】
表示装置の表示画面を撮像して撮像画像を取得する撮像装置と、
前記表示画面における点である測定点から、前記撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得部と、
前記角度取得部が取得した角度に基づいて、前記測定点における目標輝度を設定する目標輝度設定部と、
前記撮像画像に基づいて、前記測定点における測定輝度を取得する測定輝度取得部と、
前記目標輝度と前記測定輝度とに基づいて前記表示画面の輝度調整を行う輝度調整部と、
を具備することを特徴とする輝度調整システム。
【請求項２】
前記角度取得部は、前記撮像画像に基づいて、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を算出する、ことを特徴とする請求項１に記載の輝度調整システム。
【請求項３】
前記角度取得部は、矩形の前記表示画面について、前記撮像装置と前記測定点とを結ぶ線分と、前記撮像装置と前記垂直面上基準点とを結ぶ線分との角度、および、前記撮像装置と前記垂直面上基準点とを結ぶ線分と前記垂直面上基準点における前記表示画面の法線との角度を取得することを特徴とする請求項１または２に記載の輝度調整システム。
【請求項４】
前記輝度調整部は、前記測定輝度と前記目標輝度との差の大きさが所定の閾値以下か否かを判定し、閾値よりも大きいと判定すると、前記表示画面の輝度調整を行う、ことを特徴とする請求項１から３のいずれか一項に記載の輝度調整システム。
【請求項５】
表示装置の表示画面における点である測定点から、前記表示画面を撮像する撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得部と、
前記角度取得部が取得した角度に基づいて、前記測定点における目標輝度を設定する目標輝度設定部と、
前記撮像装置が前記表示画面を撮像して得られる撮像画像に基づいて、前記測定点における測定輝度を取得する測定輝度取得部と、
を具備することを特徴とする輝度調整支援装置。
【請求項６】
輝度調整システムの輝度調整方法であって、
表示装置の表示画面を撮像して撮像画像を取得する撮像ステップと、
前記表示画面における点である測定点から、前記撮像ステップにて撮像を行う撮像位置を通り前記表示画面に対して垂直な平面に下ろした垂線の足である垂直面上基準点について、前記撮像位置と前記測定点とを結ぶ線分と、前記撮像位置と前記垂直面上基準点とを結ぶ線分との角度、または、前記撮像位置と前記垂直面上基準点とを結ぶ線分と前記垂直面上基準点における前記表示画面の法線との角度の、少なくともいずれか一方を取得する角度取得ステップと、
前記角度取得ステップにて取得した角度に基づいて、前記測定点における目標輝度を設定する目標輝度設定ステップと、
前記撮像画像に基づいて、前記測定点における測定輝度を取得する測定輝度取得ステップと、
前記目標輝度と前記測定輝度とに基づいて前記表示画面の輝度調整を行う輝度調整ステップと、
を具備することを特徴とする輝度調整方法。
【請求項７】
輝度調整支援装置の輝度調整支援方法であって、
表示装置の表示画面における点である測定点から、前記表示画面を撮像する撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得ステップと、
前記角度取得ステップにて取得した角度に基づいて、前記測定点における目標輝度を設定する目標輝度設定ステップと、
前記撮像装置が前記表示画面を撮像して得られる撮像画像に基づいて、前記測定点における測定輝度を取得する測定輝度取得ステップと、
を具備することを特徴とする輝度調整支援方法。
【請求項８】
輝度調整システムの具備するコンピュータに、
表示装置の表示画面を撮像して撮像画像を取得する撮像ステップと、
前記表示画面における点である測定点から、前記撮像ステップにて撮像を行う撮像位置を通り前記表示画面に対して垂直な平面に下ろした垂線の足である垂直面上基準点について、前記撮像位置と前記測定点とを結ぶ線分と、前記撮像位置と前記垂直面上基準点とを結ぶ線分との角度、または、前記撮像位置と前記垂直面上基準点とを結ぶ線分と前記垂直面上基準点における前記表示画面の法線との角度の、少なくともいずれか一方を取得する角度取得ステップと、
前記角度取得ステップにて取得した角度に基づいて、前記測定点における目標輝度を設定する目標輝度設定ステップと、
前記撮像画像に基づいて、前記測定点における測定輝度を取得する測定輝度取得ステップと、
前記目標輝度と前記測定輝度とに基づいて前記表示画面の輝度調整を行う輝度調整ステップと、
を実行させるためのプログラム。
【請求項９】
輝度調整支援装置の具備するコンピュータに、
表示装置の表示画面における点である測定点から、前記表示画面を撮像する撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得ステップと、
前記角度取得ステップにて取得した角度に基づいて、前記測定点における目標輝度を設定する目標輝度設定ステップと、
前記撮像装置が前記表示画面を撮像して得られる撮像画像に基づいて、前記測定点における測定輝度を取得する測定輝度取得ステップと、
を実行させるためのプログラム。
【発明の詳細な説明】
【技術分野】
【０００１】
本発明は、輝度調整システム、輝度調整支援装置、輝度調整方法、輝度調整支援方法およびプログラムに関する。
【背景技術】
【０００２】
液晶ディスプレイ（Liquid Crystal Display；ＬＣＤ）や、プラズマディスプレイや、有機ＥＬ（Electroluminescence）ディスプレイなどの表示装置において、表示画面に輝度ムラが発生することがある。例えば、液晶ディスプレイのバックライトの発光分布の経時的変化や、長期間にわたる太陽光照射にて液晶パネルのフィルムが黄ばむことによって、表示画面に輝度ムラが生じ得る。
【０００３】
表示画面の輝度ムラの補正に関連して幾つかの技術が提案されている。
例えば、特許文献１には、背面側に複数本の蛍光管を所定間隔で並べた直下式のバックライトユニットを備えた液晶パネルの画面の輝度ムラを補正する輝度補正システムが記載されている。この輝度補正システムは、画像表示手段と、輝度測定手段と、補正データ生成手段と、輝度補正手段とを備える。画像表示手段は、画面に所定のテスト画像を表示させる。輝度測定手段は、テスト画像を表示した画面の輝度を画面上の領域毎に測定する。補正データ生成手段は、測定された画面の各領域の輝度を入力するとともに、各領域の輝度に応じて、領域間の輝度ムラを減少させるための補正データを領域毎に生成する。輝度補正手段は、液晶パネルにて表示する任意の画像を表す画像データの輝度を上記補正データに基づいて領域毎に補正する。各領域に対する輝度測定の際には、プローブは作業者が手動で各領域に対して所定の順序に従って移動させるとしてもよいし、コンピュータがプローブの移動および停止を実現する所定の駆動装置を制御することにより各領域に対するプローブの位置決定を自動化するとしてもよい、とされている。
特許文献１では、この輝度補正システムにより、バックライトとしての蛍光管の本数を削減して製品の製造コストを抑えつつ確実に液晶パネルの画面の輝度ムラを解消することが可能、とされている。
【先行技術文献】
【特許文献】
【０００４】
【特許文献１】特開２００８−４２８４３号公報
【発明の概要】
【発明が解決しようとする課題】
【０００５】
特許文献１に記載の輝度補正システムにおいて、作業者が手動でプローブを移動させる場合、プローブの移動作業が作業者にとって負担となる。液晶パネルの画面が大きいなど領域数が多い場合や、液晶パネルの数が多い場合などは、特に作業者の負担が重い。
また、コンピュータが駆動装置を制御してプローブを移動させる場合、輝度補正システムが駆動装置や制御機構（制御プログラム等）を具備する必要がある。このため、輝度補正システムの構成が大掛かりになり、また、製造コストや運用コストが増大してしまう。特に、プローブの位置がずれると輝度補正の精度が低下するため、精度の高い駆動装置や制御機構が求められ、輝度補正システムの製造コストが大幅に増大してしまうおそれがある。
【０００６】
本発明は、上述の課題を解決することのできる輝度調整システム、輝度調整支援装置、輝度調整方法、輝度調整支援方法およびプログラムを提供することを目的としている。
【課題を解決するための手段】
【０００７】
この発明は上述した課題を解決するためになされたもので、本発明の一態様による輝度調整システムは、表示装置の表示画面を撮像して撮像画像を取得する撮像装置と、前記表示画面における点である測定点から、前記撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得部と、前記角度取得部が取得した角度に基づいて、前記測定点における目標輝度を設定する目標輝度設定部と、前記撮像画像に基づいて、前記測定点における測定輝度を取得する測定輝度取得部と、前記目標輝度と前記測定輝度とに基づいて前記表示画面の輝度調整を行う輝度調整部と、を具備することを特徴とする。
【０００８】
また、本発明の他の一態様による輝度調整支援装置は、表示装置の表示画面における点である測定点から、前記表示画面を撮像する撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得部と、前記角度取得部が取得した角度に基づいて、前記測定点における目標輝度を設定する目標輝度設定部と、前記撮像装置が前記表示画面を撮像して得られる撮像画像に基づいて、前記測定点における測定輝度を取得する測定輝度取得部と、を具備することを特徴とする。
【０００９】
また、本発明の他の一態様による輝度調整方法は、輝度調整システムの輝度調整方法であって、表示装置の表示画面を撮像して撮像画像を取得する撮像ステップと、前記表示画面における点である測定点から、前記撮像ステップにて撮像を行う撮像位置を通り前記表示画面に対して垂直な平面に下ろした垂線の足である垂直面上基準点について、前記撮像位置と前記測定点とを結ぶ線分と、前記撮像位置と前記垂直面上基準点とを結ぶ線分との角度、または、前記撮像位置と前記垂直面上基準点とを結ぶ線分と前記垂直面上基準点における前記表示画面の法線との角度の、少なくともいずれか一方を取得する角度取得ステップと、前記角度取得ステップにて取得した角度に基づいて、前記測定点における目標輝度を設定する目標輝度設定ステップと、前記撮像画像に基づいて、前記測定点における測定輝度を取得する測定輝度取得ステップと、前記目標輝度と前記測定輝度とに基づいて前記表示画面の輝度調整を行う輝度調整ステップと、を具備することを特徴とする。
【００１０】
また、本発明の他の一態様による輝度調整支援方法は、輝度調整支援装置の輝度調整支援方法であって、表示装置の表示画面における点である測定点から、前記表示画面を撮像する撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得ステップと、前記角度取得ステップにて取得した角度に基づいて、前記測定点における目標輝度を設定する目標輝度設定ステップと、前記撮像装置が前記表示画面を撮像して得られる撮像画像に基づいて、前記測定点における測定輝度を取得する測定輝度取得ステップと、を具備することを特徴とする。
【００１１】
また、本発明の他の一態様によるプログラムは、輝度調整システムの具備するコンピュータに、表示装置の表示画面を撮像して撮像画像を取得する撮像ステップと、前記表示画面における点である測定点から、前記撮像ステップにて撮像を行う撮像位置を通り前記表示画面に対して垂直な平面に下ろした垂線の足である垂直面上基準点について、前記撮像位置と前記測定点とを結ぶ線分と、前記撮像位置と前記垂直面上基準点とを結ぶ線分との角度、または、前記撮像位置と前記垂直面上基準点とを結ぶ線分と前記垂直面上基準点における前記表示画面の法線との角度の、少なくともいずれか一方を取得する角度取得ステップと、前記角度取得ステップにて取得した角度に基づいて、前記測定点における目標輝度を設定する目標輝度設定ステップと、前記撮像画像に基づいて、前記測定点における測定輝度を取得する測定輝度取得ステップと、前記目標輝度と前記測定輝度とに基づいて前記表示画面の輝度調整を行う輝度調整ステップと、を実行させるためのプログラムである。
【００１２】
また、本発明の他の一態様によるプログラムは、輝度調整支援装置の具備するコンピュータに、表示装置の表示画面における点である測定点から、前記表示画面を撮像する撮像装置を通り前記表示画面に対して垂直な平面に下ろした垂線の足である垂直面上基準点について、前記撮像装置と前記測定点とを結ぶ線分と、前記撮像装置と前記垂直面上基準点とを結ぶ線分との角度、または、前記撮像装置と前記垂直面上基準点とを結ぶ線分と前記垂直面上基準点における前記表示画面の法線との角度の、少なくともいずれか一方を取得する角度取得ステップと、前記角度取得ステップにて取得した角度に基づいて、前記測定点における目標輝度を設定する目標輝度設定ステップと、前記撮像装置が前記表示画面を撮像して得られる撮像画像に基づいて、前記測定点における測定輝度を取得する測定輝度取得ステップと、を実行させるためのプログラムである。
【発明の効果】
【００１３】
本発明によれば、プローブなど表示画面の明るさを検出する装置を移動させる必要なしに輝度調整を行うことができる。
【図面の簡単な説明】
【００１４】
【図１】本発明の一実施形態における輝度調整装置の機能構成を示す概略ブロック図である。
【図２】同実施形態における表示画面と撮像装置との位置関係の例を示す説明図である。
【図３】同実施形態において表示画面に設定される測定点の例を示す説明図である。
【図４】点Ｍ、ＮおよびＧを含む平面おける角度および長さの説明図である。
【図５】点Ａ、ＤおよびＧを含む平面おける角度および長さの説明図である。
【図６】点Ｂ、ＣおよびＧを含む平面おける角度および長さの説明図である。
【図７】点Ｘ、ＹおよびＧを含む平面における角度および長さの説明図である。
【図８】点Ｒ、ＱおよびＧを含む平面における角度および長さの説明図である。
【図９】同実施形態にて撮像装置の撮像する画像における各点の位置関係の例を示す説明図である。
【図１０】同実施形態における表示画面の横方向の視野角特性の例を示す説明図である。
【図１１】同実施形態における表示画面の縦方向の視野角特性の例を示す説明図である。
【図１２】同実施形態において、視線方向横角度が一定の場合の、視線方向縦角度と表示画面の明るさとの関係の例を示す説明図である。
【図１３】同実施形態における輝度調整システムが、１つの測定点について輝度調整を行う処理手順の例を示すフローチャートである。
【図１４】輝度調整システムにおける本発明の最小構成を示す概略ブロック図である。
【図１５】本発明における輝度調整支援装置の最小構成を示す概略ブロック図である。
【発明を実施するための形態】
【００１５】
以下、図面を参照して、本発明の実施の形態について説明する。図１は、本発明の一実施形態における輝度調整装置の機能構成を示す概略ブロック図である。同図において、輝度調整システム１は、撮像装置１００と、輝度調整装置２００とを具備する。輝度調整装置２００は、角度取得部２１０と、目標輝度設定部２２０と、測定輝度取得部２３０と、輝度調整部２４０とを具備する。また、図１には表示装置９００が示されている。
【００１６】
表示装置９００は、例えば液晶ディスプレイであり、液晶パネルによる表示画面９１０を具備して各種画像を表示する。なお、表示装置９００の有効表示画面を表示画面９１０と表記する。
また、表示装置９００では、例えば画素単位など表示画面９１０の部分毎に輝度調整可能である。
輝度調整システム１は、表示画面９１０を撮像して、表示画面９１０の輝度ムラの補正など輝度調整を行う。但し、輝度調整システム１は液晶ディスプレイに限らず、表示画面の部分毎に輝度調整可能な様々な表示装置に用いることができる。
【００１７】
撮像装置１００は、例えばＣＣＤ（Charge Coupled Device）カメラであり、表示装置９００の表示画面９１０を撮像して撮像画像を取得する。撮像装置１００は、取得した撮像画像を画像データにて輝度調整装置２００へ出力する。撮像装置１００は、輝度調整装置２００の一部として構成されていてもよいし、輝度調整装置２００とは別の装置として構成されていてもよい。
【００１８】
輝度調整装置２００は、撮像装置１００が撮像した表示画面９１０の撮像画像に基づいて、表示画面９１０の輝度調整を行う。
角度取得部２１０は、表示画面９１０における点である測定点から、撮像装置１００を通り表示画面９１０に対して垂直な平面に下ろした垂線の足である垂直面上基準点について、撮像装置１００と測定点とを結ぶ線分と、撮像装置１００と垂直面上基準点とを結ぶ線分との角度、または、撮像装置１００と垂直面上基準点とを結ぶ線分と垂直面上基準点における表示画面９１０の法線との角度の、少なくともいずれか一方を取得する。特に、角度取得部２１０は、撮像装置１００が撮像する表示画面９１０の撮像画像に基づいて、測定点と撮像装置１００とを結ぶ線分の方向と、表示画面９１０の法線方向との為す角の成分の角度を算出する。
ここでいう測定点は、表示画面９１０における点であり、輝度調整の対象になる。また、点から平面に下ろした垂線の足とは、当該点を通る当該平面の法線と当該平面との交点である。従って、垂直面上基準点は、撮像装置１００を通り表示画面９１０に対して垂直な平面と、測定点を通る当該平面の法線との交点である。
【００１９】
本実施形態では表示画面９１０は矩形をしており、表示画面９１０の短辺に平行な方向を縦方向と称し、長辺に平行な方向を横方向と称する。
角度取得部２１０は、矩形の表示画面９１０について、測定点と撮像装置１００とを結ぶ線分の方向と、表示画面９１０の法線方向との為す角の、表示画面９１０の長辺に平行な成分（横方向成分）の角度と短辺に平行な成分（縦方向成分）の角度とを取得する。横方向成分の角度は、撮像装置１００と垂直面上基準点とを結ぶ線分と垂直面上基準点における表示画面９１０の法線との角度の一例に該当する。また、縦方向成分の角度は、撮像装置１００と測定点とを結ぶ線分と、撮像装置１００と垂直面上基準点とを結ぶ線分との角度の一例に該当する。
但し、輝度調整システム１は、矩形に限らず様々な多角形の表示画面を対象とすることができる。図１０〜図１２を参照して後述する例のように、角度取得部２１０が算出する角度と、表示画面の明るさとの関係を取得可能であればよい。
【００２０】
以下では、表示画面９１０における点と撮像装置１００とを結ぶ線分の方向と、表示画面９１０の法線方向との為す角の、表示画面９１０の縦方向成分を「視線方向縦角」と称し、視線方向縦角の角度を「視線方向縦角度」と称する。また、表示画面９１０における点と撮像装置１００とを結ぶ線分の方向と、表示画面９１０の法線方向との為す角の、表示画面９１０の横方向成分を「視線方向横角」と称し、視線方向横角の角度を「視線方向横角度」と称する。
【００２１】
視線方向縦角は、撮像装置１００の位置の、表示画面９１０における点の正面からの、縦方向のずれの大きさを示す。視線方向横角は、撮像装置１００の位置の、表示画面９１０における点の正面からの、横方向のずれを示す。撮像装置１００の位置が、表示画面９１０における点の正面からのずれているほど、当該点が暗く見えるようになる。そこで、目標輝度設定部２２０が目標輝度を設定するに際して、角度取得部２１０が、視線方向縦角度や視線方向横角度を算出する。
【００２２】
目標輝度設定部２２０は、角度取得部２１０が取得した視線方向縦角度や視線方向横角度に基づいて、測定点における目標輝度を設定する。
測定輝度取得部２３０は、撮像装置１００が撮像する表示画面９１０の撮像画像に基づいて、測定点における測定輝度を取得する。
輝度調整部２４０は、目標輝度設定部２２０が設定する目標輝度と測定輝度取得部２３０が取得する測定輝度とに基づいて、表示画面９１０の輝度調整を行う。特に、輝度調整部２４０は、測定輝度と目標輝度との差の大きさが所定の閾値以下か否かを判定し、閾値よりも大きいと判定すると、表示画面９１０の輝度調整を行う。
【００２３】
次に、図２〜９を参照して撮像装置１００と表示画面９１０との位置関係について説明し、角度取得部２１０が行う視線方向縦角度や視線方向横角度の算出について説明する。
図２は、表示画面９１０と撮像装置１００との位置関係の例を示す説明図である。同図の長方形ＡＢＣＤは表示画面９１０の位置を示し、点Ｇは撮像装置１００の位置（例えば、撮像装置１００のレンズの中心の位置）を示す。
【００２４】
また、点Ｍは、辺ＡＢの中点を示し、点Ｎは、辺ＣＤの中点を示し、点Ｘは辺ＡＤの中点を示し、点Ｙは、辺ＢＣの中点を示す。また、点Ｏは、長方形ＡＢＣＤの中心を示し、線分ＭＮの中点、および、線分ＸＹの中点となっている。
また、点Ｐは、点Ｏを通る長方形ＡＢＣＤの法線上の点を示す。点Ｋは、点Ｘを通る長方形ＡＢＣＤの法線上の点を示す。点Ｊは、点Ｙを通る長方形ＡＢＣＤの法線上の点を示す。
【００２５】
点Ｇは、点Ｘおよび点Ｙを含み長方形ＡＢＣＤに直交する平面に設定されている。すなわち、撮像装置１００は、表示画面９１０の中心の点Ｏの正面、または、正面から左右にずれた位置に設定されている。
また、図２の縦方向が、表示画面９１０の縦方向となっている。すなわち、線分ＡＤの方向が、表示画面９１０の縦方向となっている。また、図２の横方向が表示画面９１０の横方向となっている。すなわち、線分ＡＢの方向が、表示画面９１０の横方向となっている。
図２に示す角度については、図４〜９を参照して後述する。
【００２６】
図３は、表示画面９１０に設定される測定点の例を示す説明図である。同図において、点Ｒは測定点を示す。この点Ｒは、表示画面９１０の任意の位置に設定され、輝度調整の対象となる。また、点Ｑは垂直面上基準点を示す。すなわち、点Ｑは、点Ｇと点Ｘと点Ｙを通り表示画面９１０に対して垂直な平面と、点Ｒを通る当該平面の法線との交点となっている。
図３に示す角度については、図４〜９を参照して後述する。
【００２７】
図４は、点Ｍ、ＮおよびＧを含む平面における角度および長さの説明図である。同図に示すように角ＭＧＯの角度をθと表記する。また、線分ＧＯの長さ（すなわち、撮像装置１００と表示画面９１０の中心との距離）をｌと表記し、線分ＭＮの長さ（すなわち、表示画面９１０の縦方向の長さ）をｂと表記する。
【００２８】
図５は、点Ａ、ＤおよびＧを含む平面における角度および長さの説明図である。同図に示すように角ＡＧＸの角度をθ１と表記する。また、線分ＧＸの長さをｌ１と表記する。線分ＡＤの長さは、線分ＭＮの長さと同じくｂとなる。
【００２９】
図６は、点Ｂ、ＣおよびＧを含む平面における角度および長さの説明図である。同図に示すように角ＢＧＹの角度をθ２と表記する。また、線分ＧＹの長さをｌ２と表記する。線分ＢＣの長さは、線分ＭＮの長さと同じくｂとなる。
【００３０】
図７は、点Ｘ、ＹおよびＧを含む平面における角度および長さの説明図である。同図に示すように、点Ｏ、Ｘ、Ｙ、Ｑにおける視線方向横角度を、それぞれα、β、γ、φと表記する。点Ｒ（図３）における視線方向横角度もφとなる。また、角ＧＸＹの角度をεと表記し、角ＧＹＸの角度をζと表記する。
また、辺ＸＹの長さ（従って、表示画面９１０の横方向の長さ）をａと表記し、点Ｏと点Ｑとの距離をｍと表記する。
【００３１】
また、点Ｘから点Ｙまでの、表示画面９１０における画素数（従って、表示画面９１０の横方向の画素数）をａｄと表記する。また、点Ｘから点Ｑまでの、表示画面９１０における画素数をｑｄと表記する。ａｄおよびｑｄを用いて、表示画面９１０の横方向における点Ｑの位置を特定できる。表示画面９１０の横方向における点Ｒの位置も、点Ｑと同じである。
【００３２】
図８は、点Ｒ、ＱおよびＧを含む平面における角度および長さの説明図である。同図に示すように、角ＲＧＱの角度をΨと表記する。また、点Ｒと点Ｑとの距離をｎと表記する。表示画面９１０の縦方向の長さは、図４の線分ＭＮの長さ等と同じくｂとなっている。
また、表示画面９１０の縦方向の画素数をｂｄと表記する。また、点Ｑから点Ｒまでの、表示画面９１０における画素数をｎｄと表記する。ｂｄおよびｎｄを用いて、表示画面９１０の縦方向における点Ｒの位置を特定できる。
【００３３】
図９は、撮像装置１００の撮像する画像における各点の位置関係の例を示す説明図である。
例えば、表示装置９００の電源をオン（ＯＮ）にし、表示画面９１０に、中心十字クロスライン付きの全白画面を、推奨解像度かつ輝度１００パーセント（％）にて表示させる。表示装置９００にエコ（ＥＣＯ）モードの設定がある場合は、エコモードをオフ（ＯＦＦ）に設定しておく。そして、撮像装置１００は、表示画面９１０全体を撮像する。
【００３４】
点Ａ’、Ｂ’、Ｃ’、Ｄ’、Ｍ’、Ｎ’、Ｘ’、Ｙ’、Ｏ’、Ｑ’、Ｒ’は、それぞれ、点Ａ、Ｂ、Ｃ、Ｄ、Ｍ、Ｎ、Ｘ、Ｙ、Ｏ、Ｑ、Ｒに対応する点である。従って、四角形Ａ’Ｂ’Ｃ’Ｄ’は、表示画面９１０を撮像した像の例を示している。
また、点Ｍ’と点Ｎ’との距離をｂ０と表記する。点Ｍ’と点Ｏ’との距離はｂ０／２となる。また、点Ａ’と点Ｄ’との距離をｂ１と表記する。点Ａ’と点Ｘ’との距離はｂ１／２となる。また、点Ｂ’と点Ｃ’との距離をｂ２と表記する。点Ｂ’と点Ｙ’との距離はｂ２／２となる。
【００３５】
次に、図２〜図９に示す点や角度や距離を用いて、表示画面９１０の任意の点Ｒにおける視線方向横角度φおよび視線方向縦角度Ψの導出について説明する。
まず、点Ｒにおける視線方向横角度φの導出について説明する。
図４より式（１）を得られる。
【００３６】
【数１】
2014212422.tif 000003
【００３７】
但し、「ＭＯ」は線分ＭＯの長さを示し、「ＧＯ」は線分ＧＯの長さを示す。他の線分についても同様である。
式（１）より式（２）を得られる。
【００３８】
【数２】
2014212422.tif 000004
【００３９】
また、図５より式（３）を得られる。
【００４０】
【数３】
2014212422.tif 000005
【００４１】
式（３）より式（４）を得られる。
【００４２】
【数４】
2014212422.tif 000006
【００４３】
また、図９のｂ０およびｂ１を用いて、θとθ１との関係は式（５）のように示される。
【００４４】
【数５】
2014212422.tif 000007
【００４５】
ここで、ｔａｎθ≒θと近似し、ｔａｎθ１≒θ１と近似している。
式（２）および式（５）より式（６）を得られる。
【００４６】
【数６】
2014212422.tif 000008
【００４７】
式（６）より式（７）を得られる。
【００４８】
【数７】
2014212422.tif 000009
【００４９】
式（４）および式（７）より式（８）を得られる。
【００５０】
【数８】
2014212422.tif 000010
【００５１】
また、図６より式（９）を得られる。
【００５２】
【数９】
2014212422.tif 000011
【００５３】
式（９）より式（１０）を得られる。
【００５４】
【数１０】
2014212422.tif 000012
【００５５】
また、図９のｂ０およびｂ２を用いて、θとθ２との関係は式（１１）のように示される。
【００５６】
【数１１】
2014212422.tif 000013
【００５７】
ここで、ｔａｎθ≒θと近似し、ｔａｎθ２≒θ２と近似している。
式（２）および式（１１）より式（１２）を得られる。
【００５８】
【数１２】
2014212422.tif 000014
【００５９】
式（１２）より式（１３）を得られる。
【００６０】
【数１３】
2014212422.tif 000015
【００６１】
式（１０）および式（１３）より式（１４）を得られる。
【００６２】
【数１４】
2014212422.tif 000016
【００６３】
三角形ＯＧＸに余弦定理を適用して式（１５）を得られる。
【００６４】
【数１５】
2014212422.tif 000017
【００６５】
但し、「＊」は、スカラー積を示す。また、０°＜ε＜１８０°とする。
式（１５）より式（１６）を得られる。
【００６６】
【数１６】
2014212422.tif 000018
【００６７】
式（１６）より式（１７）を得られる。
【００６８】
【数１７】
2014212422.tif 000019
【００６９】
また、三角形ＯＧＹに余弦定理を適用して式（１８）を得られる。
【００７０】
【数１８】
2014212422.tif 000020
【００７１】
但し、０°＜ζ＜１８０°とする。
式（１８）より式（１９）を得られる。
【００７２】
【数１９】
2014212422.tif 000021
【００７３】
また、図７より、βとεの関係、および、γとζとの関係は、式（２０）のように示される。
【００７４】
【数２０】
2014212422.tif 000022
【００７５】
また、図７に示すφは、点Ｘと点Ｑとの距離に応じて変化する。φの変化量が点Ｘと点Ｑとの距離に比例すると近似して、式（２１）を得られる。
【００７６】
【数２１】
2014212422.tif 000023
【００７７】
式（８）、式（１４）、式（１７）、式（１９）、式（２０）および式（２１）より、ａ、ｂ、ｂ０、ｂ１、ｂ２、ｑｄ、ａｄおよびｌを得られればφを求めることができる。このうちａ、ｂ、ｑｄおよびａｄは、表示装置９００の仕様より予め得られる。また、ｂ０、ｂ１、ｂ２は、撮像装置１００の撮像画像にて検出（測定）することができる。また、ｌは、撮像装置１００を設置した際などに測定することができる。
【００７８】
ｂ０、ｂ１、ｂ２の測定は、例えば、角度取得部２１０が、パターンマッチングにて撮像画像から表示画面９１０の画像を切り出して行うことができる。あるいは、輝度調整システム１のユーザが、撮像画像を参照して測定し、輝度調整装置２００へ入力するようにしてもよい。また、ｌの測定は、例えば、輝度調整装置２００が超音波またはレーザーなどによる距離測定機構を具備して自動で行うようにしてもよい。あるいは、輝度調整システム１のユーザが測定して輝度調整装置２００へ入力するようにしてもよい。
このように、角度取得部２１０は、ａ、ｂ、ｂ０、ｂ１、ｂ２、ｑｄ、ａｄおよびｌより視線方向横角度φを算出する。
次に、点Ｒにおける視線方向縦角度Ψの導出について説明する。
図７の三角形ＧＸＱに余弦定理を適用して、式（２２）を得られる。
【００７９】
【数２２】
2014212422.tif 000024
【００８０】
また、図８より、ｔａｎΨは式（２３）のように示される。
【００８１】
【数２３】
2014212422.tif 000025
【００８２】
但し、０°＜Ψ＜９０°とする。
式（２２）および式（２３）より式（２４）を得られる。
【００８３】
【数２４】
2014212422.tif 000026
【００８４】
式（２４）より式（２５）を得られる。
【００８５】
【数２５】
2014212422.tif 000027
【００８６】
また、点Ｘと点Ｑとの距離は式（２６）のように示される。
【００８７】
【数２６】
2014212422.tif 000028
【００８８】
また、図８より、式（２７）を得られる。
【００８９】
【数２７】
2014212422.tif 000029
【００９０】
式（２７）より式（２８）を得られる。
【００９１】
【数２８】
2014212422.tif 000030
【００９２】
式（８）、式（１６）、式（２５）、式（２６）および式（２８）より、ａ、ｂ、ｂ０、ｂ１、ｑｄ、ａｄ、ｎｄ、ｂｄおよびｌを得られればΨを求めることができる。このうちａ、ｂ、ｑｄ、ａｄ、ｎｄおよびｂｄは、表示装置９００の仕様より予め得られる。また、ｂ０、ｂ１は、撮像装置１００の撮像画像にて検出（測定）することができる。また、ｌは、撮像装置１００を設置した際などに測定することができる。
ｂ０、ｂ１の測定方法やｌの測定方法については、視線方向横角度の導出の場合と同様である。
このように、角度取得部２１０は、ａ、ｂ、ｂ０、ｂ１、ｑｄ、ａｄ、ｎｄ、ｂｄおよびｌより視線方向縦角度Ψを算出する。
【００９３】
次に、図１０〜図１２を参照して、目標輝度設定部２２０が行う目標輝度の設定について説明する。
図１０は、表示画面９１０の横方向の視野角特性の例を示す説明図である。具体的には、図１０は、視線方向縦角度が０°の場合の、視線方向横角度と表示画面９１０の明るさとの関係の例を示す。すなわち、図１０は、視線方向が表示画面９１０の正面から、画面の左右方向にのみずれている場合の、ずれ角度と表示画面９１０の明るさとの関係の例を示している。
【００９４】
同図の横軸は、視線方向横角度を示し、縦軸は、表示画面９１０の明るさを輝度にて示している。
点Ｐ１１における輝度値は、視線方向横角度が０°の場合、従って表示画面９１０を真正面から見た場合の輝度値を示す。以下では、点Ｐ１１における輝度値を基準輝度値ＬＯ００と表記する。
【００９５】
なお、添え字「Ｏ００」の１文字目「Ｏ」は、表示画面９１０における点を示す。２文字目「０」は、１文字目の示す点における視線方向横角度を示す。３文字目「０」は、１文字目の示す点における視線方向縦角度を示す。「ＬＯ００」は、表示画面９１０の点Ｏを、点Ｏの真正面から見た場合の輝度値を示している。以下も同様に表記する。
【００９６】
ここで、表示画面９１０の輝度調整が理想的に行われ、表示画面９１０のいずれの画素も同じ明るさで発光している状態を想定する。想定される状態は、輝度調整における目標状態となる。この状態では、図３に示す点Ｑ、Ｒ、Ｏについて、ＬＱ００＝ＬＲ００＝ＬＯ００となる。
また、点Ｐ１２における輝度値ＬＱφ０は、図３の点Ｇから点Ｑを見た場合の、点Ｑの輝度値を示している。点Ｑにおける視線方向横角度はφ、視線方向縦角度は０°となっている。
【００９７】
図１１は、表示画面９１０の縦方向の視野角特性の例を示す説明図である。具体的には、図１１は、視線方向横角度が０°の場合の、視線方向縦角度と表示画面９１０の明るさとの関係の例を示す。すなわち、図１１は、視線方向が表示画面９１０の正面から、画面の上下方向にのみずれている場合の、ずれ角度と表示画面９１０の明るさとの関係の例を示している。
同図の横軸は、視線方向縦角度の大きさを示し、縦軸は、表示画面９１０の明るさを輝度にて示している。
【００９８】
図１２は、視線方向横角度が一定の場合の、視線方向縦角度と表示画面９１０の明るさとの関係の例を示す説明図である。同図の横軸は、視線方向横角度を示し、縦軸は、表示画面９１０の明るさを輝度にて示している。
また、線Ｌ１１は、図１１の場合と同様、視線方向横角度が０°の場合の、視線方向縦角度と表示画面９１０の明るさとの関係を示す。線Ｌ１２は視線方向横角度が一定の場合の、視線方向縦角度と表示画面９１０の明るさとの関係を示す。
【００９９】
また、視線方向縦角度がΨである場合の、輝度値に対する視線方向横角度φの影響は、式（２９）のように示される。
【０１００】
【数２９】
2014212422.tif 000031
【０１０１】
式（２９）より式（３０）を得られる。
【０１０２】
【数３０】
2014212422.tif 000032
【０１０３】
式（３０）を用いて、線Ｌ１１から線Ｌ１２を得られる。
図１２は、ＬＱφ０／ＬＯ００＝８０パーセントの場合の例を示しており、線Ｌ１１の示す輝度値を０．８倍して、線Ｌ１２における輝度値を得られる。
このように、図１０に例示する表示画面９１０の横方向の視野角特性と、図１１に例示する表示画面９１０の縦方向の視野角特性とから、表示画面９１０の任意の点Ｒにおける輝度調整の目標値を算出することができる。目標輝度設定部２２０は、例えば、図１０に示される横方向の視野角特性と、図１１に示される縦方向の視野角特性とを予め表形式で記憶しておく。そして、角度取得部２１０が、視線方向横角度および視線方向縦角度を算出すると、目標輝度設定部２２０は、式（３０）に基づいてＬＲφΨを算出し、目標輝度として設定する。
【０１０４】
次に、図１３を参照して輝度調整システム１の動作について説明する。図１３は、輝度調整システム１が、１つの測定点について輝度調整を行う処理手順の例を示すフローチャートである。例えば、輝度調整システム１の各部が同期をとって、表示画面９１０の各画素についてラスタスキャンの方向に図１３の処理を繰り返す。
【０１０５】
図１３の処理において、まず、撮像装置１００が表示画面９１０を撮像して撮像画像を取得し、画像データにて角度取得部２１０と測定輝度取得部２３０とに出力する（ステップＳ１０１）。
次に、角度取得部２１０は、撮像装置１００の撮像した表示画面９１０の画像に基づいて、測定点における視線方向横角度と視線方向縦角度とを算出し、得られた線方向横角度と視線方向縦角度とを目標輝度設定部２２０へ出力する（ステップＳ１１１）。
そして、目標輝度設定部２２０は、角度取得部２１０からの視線方向横角度と視線方向縦角度とに基づいて、目標輝度を設定して輝度調整部２４０へ出力する（ステップＳ１１２）。なお、目標輝度設定部２２０が設定する目標輝度は、測定輝度取得部２３０が測定する輝度と比較可能であればよい。例えば、目標輝度設定部２２０が、目標輝度を輝度値にて設定するようにしてもよいし、１６階調など輝度階調にて設定するようにしてもよい。
【０１０６】
また、ステップＳ１０１の後、測定輝度取得部２３０は、撮像装置１００の撮像した表示画面９１０の画像に基づいて、測定点に対応する輝度の測定値を取得して輝度調整部２４０へ出力する（ステップＳ１２１）。例えば、測定輝度取得部２３０は、輝度調整部２４０を介して表示装置９００を制御し、測定点を点滅させることで撮像画像における測定点に対応する位置を検出する。そして、測定輝度取得部２３０は、検出した位置における撮像画像の明るさから輝度の測定値を取得する。
なお、輝度調整装置２００が、ステップＳ１１１およびＳ１１２と、ステップＳ１２１とを並行処理にて実行するようにしてもよいし、逐次処理にて実行するようにしてもよい。
【０１０７】
輝度調整部２４０は、目標輝度設定部２２０から目標輝度を取得し、測定輝度取得部２３０から測定輝度（輝度の測定値）を取得すると、測定輝度と目標輝度との差の大きさが所定の閾値以下か否かを判定する（ステップＳ１３１）。
差の大きさが閾値よりも大きいと判定した場合（ステップＳ１３１：ＮＯ）、輝度調整部２４０は、測定輝度を目標輝度に近付けるように表示画面９１０の輝度調整を行う（ステップＳ１４１）。
【０１０８】
次に、撮像装置１００が表示画面９１０を撮像して撮像画像を取得し、画像データにて測定輝度取得部２３０に出力する（ステップＳ１４２）。
そして、測定輝度取得部２３０は、撮像装置１００の撮像した表示画面９１０の画像に基づいて、測定点に対応する輝度の測定値を取得して輝度調整部２４０へ出力する（ステップＳ１４３）。
その後、ステップＳ１３１へ戻る。
一方、ステップＳ１３１において、差の大きさが閾値以下であると判定した場合（ステップＳ１３１：ＹＥＳ）、図１３の処理を終了する。
【０１０９】
なお、以上では、輝度調整部２４０が表示画面９１０の縦方向および横方向について輝度調整を行う場合について説明したが、これに限らない。例えばバックライトの配置等に応じて一方の方向のみに輝度ムラが生じる場合、輝度調整部２４０がいずれか一方の方向についてのみ輝度調整を行うようにしてもよい。この場合、角度取得部２１０は、視線方向横角度と視線方向縦角度とのいずれか一方のみを算出すればよい。
また、角度取得部２１０が、視線方向横角度と視線方向縦角度とを取得する方法は、上述した撮像画像に基づく方法に限らない。例えば、撮像装置１００の位置を固定し、表示画面９１０を一定の位置に設置するようにし、角度取得部２１０が、表示画面９１０の画素の位置と、視線方向横角度および視線方向縦角度とを対応付けて予め記憶しておくようにしてもよい。
【０１１０】
以上のように、撮像装置１００は、表示装置９００の表示画面９１０を撮像して撮像画像を取得する。そして、角度取得部２１０は、表示画面９１０における点である測定点から、撮像装置１００を通り表示画面９１０に対して垂直な平面に下ろした垂線の足である垂直面上基準点について、撮像装置１００と測定点とを結ぶ線分と、撮像装置１００と垂直面上基準点とを結ぶ線分との角度、または、撮像装置１００と垂直面上基準点とを結ぶ線分と垂直面上基準点における表示画面９１０の法線との角度の、少なくともいずれか一方を取得する。そして、目標輝度設定部２２０は、角度取得部２１０が取得した角度に基づいて、測定点における目標輝度を設定する。
また、測定輝度取得部２３０は、撮像装置１００が取得した撮像画像に基づいて、測定点における測定輝度を取得する。そして、輝度調整部２４０は、目標輝度と測定輝度とに基づいて表示画面９１０の輝度調整を行う。
【０１１１】
これにより、輝度調整部２４０は、撮像装置１００の位置の、表示画面９１０の正面からのずれによる表示画面９１０の明るさの低下を反映させて輝度調整を行うことができる。従って、輝度調整システム１は、プローブなど表示画面の明るさを検出する装置を移動させる必要なしに輝度調整を行うことができる。この点において、輝度調整システム１では、作業者の負担や、明るさを検出する装置を移動させる機構を備えることによる装置規模の増大や、製造コストや運用コストの増大を抑制することができる。
【０１１２】
また、角度取得部２１０は、撮像装置１００が撮像する表示画面９１０の撮像画像に基づいて、撮像装置１００と測定点とを結ぶ線分と、撮像装置１００と垂直面上基準点とを結ぶ線分との角度、または、撮像装置１００と垂直面上基準点とを結ぶ線分と垂直面上基準点における表示画面９１０の法線との角度の、少なくともいずれか一方を算出する。
これにより、輝度調整システム１は、表示画面９１０の設置位置を一定にする必要無しに表示画面９１０の輝度調整を行うことができる。さらには、輝度調整システム１は、様々な大きさの表示画面９１０に対応して輝度調整を行うことができる。
【０１１３】
また、角度取得部２１０は、矩形の表示画面９１０について、撮像装置１００と測定点とを結ぶ線分と、撮像装置１００と垂直面上基準点とを結ぶ線分との角度、および、撮像装置１００と垂直面上基準点とを結ぶ線分と垂直面上基準点における表示画面９１０の法線との角度を取得する。例えば、角度取得部２１０は、測定点と撮像装置１００とを結ぶ線分の方向と、表示画面９１０の法線方向との為す角の、表示画面９１０の長辺に平行な成分（横方向成分）の角度と短辺に平行な成分（縦方向成分）の角度とを取得する。
これにより、目標輝度設定部２２０は、撮像装置１００の位置の、表示画面９１０における点の正面からの、縦方向のずれと横方向のずれとの両方に応じて目標輝度を設定することができる。そして、輝度調整部２４０は、目標輝度設定部２２０の設定した目標輝度を用いて、より高精度に輝度調整を行うことができる。
【０１１４】
また、輝度調整部２４０は、測定輝度と目標輝度との差の大きさが所定の閾値以下か否かを判定し、閾値よりも大きいと判定すると、表示画面９１０の輝度調整を行う。
これにより、測定輝度と目標輝度との差が小さい場合は、輝度調整部２４０による輝度調整を抑制することができ、輝度調整部２４０の処理負荷や消費電力を低減させることができる。
【０１１５】
次に、図１４を参照して輝度調整システムにおける本発明の最小構成について説明する。
図１４は、輝度調整システムにおける本発明の最小構成を示す概略ブロック図である。同図では、図１における輝度調整システム１の各部のうち、撮像装置１００と、角度取得部２１０と、目標輝度設定部２２０と、測定輝度取得部２３０と、輝度調整部２４０とが示されている。
【０１１６】
かかる構成において、図１の構成の場合と同様、撮像装置１００は、表示装置９００の表示画面９１０を撮像して撮像画像を取得する。そして、角度取得部２１０は、表示画面９１０における点である測定点から、撮像装置１００を通り表示画面９１０に対して垂直な平面に下ろした垂線の足である垂直面上基準点について、撮像装置１００と測定点とを結ぶ線分と、撮像装置１００と垂直面上基準点とを結ぶ線分との角度、または、撮像装置１００と垂直面上基準点とを結ぶ線分と垂直面上基準点における表示画面９１０の法線との角度の、少なくともいずれか一方を取得する。そして、目標輝度設定部２２０は、角度取得部２１０が取得した角度に基づいて、測定点における目標輝度を設定する。
また、測定輝度取得部２３０は、撮像装置１００が取得した撮像画像に基づいて、測定点における測定輝度を取得する。そして、輝度調整部２４０は、目標輝度と測定輝度とに基づいて表示画面９１０の輝度調整を行う。
【０１１７】
これにより、図１の構成の場合と同様、輝度調整部２４０は、撮像装置１００の位置の、表示画面９１０の正面からのずれによる表示画面９１０の明るさの低下を反映させて輝度調整を行うことができる。従って、輝度調整システム１は、プローブなど表示画面の明るさを検出する装置を移動させる必要なしに輝度調整を行うことができる。この点において、輝度調整システム１では、作業者の負担や、明るさを検出する装置を移動させる機構を備えることによる装置規模の増大や、製造コストや運用コストの増大を抑制することができる。
【０１１８】
なお、輝度調整支援装置として本発明を実施することも可能である。
図１５は、本発明における輝度調整支援装置の最小構成を示す概略ブロック図である。同図において、輝度調整支援装置３００は、角度取得部２１０と、目標輝度設定部２２０と、測定輝度取得部２３０とを具備する。また、同図において図１の各部に対応して同様の機能を有する部分には同一の符号（２１０、２２０、２３０）を付して説明を省略する。
【０１１９】
かかる構成において、輝度調整支援装置３００が表示画面を撮像した画像を取得すると、目標輝度設定部２２０は、図１の構成の場合と同様に、目標輝度を設定することができる。また、測定輝度取得部２３０は、図１の構成の場合と同様に、測定輝度を取得することができる。
これにより、輝度調整支援装置３００は、例えば目標輝度および測定輝度をユーザに通知して輝度調整を支援することができる。あるいは、輝度調整支援装置３００は、輝度調整部２４０（図１）を具備するような輝度調整装置に目標輝度および測定輝度を出力して、当該輝度調整装置が行う輝度調整を支援することもできる。
【０１２０】
なお、輝度調整システム１や、輝度調整支援装置３００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１２１】
以上、本発明の実施形態について図面を参照して詳述してきたが、具体的な構成はこの実施形態に限られるものではなく、この発明の要旨を逸脱しない範囲の設計変更等も含まれる。
【符号の説明】
【０１２２】
１  輝度調整システム
１００  撮像装置
２００  輝度調整装置
２１０  角度取得部
２２０  目標輝度設定部
２３０  測定輝度取得部
２４０  輝度調整部
９００  表示装置
９１０  表示画面
【図１】
2014212422.tif 000033
【図２】
2014212422.tif 000034
【図３】
2014212422.tif 000035
【図４】
2014212422.tif 000036
【図５】
2014212422.tif 000037
【図６】
2014212422.tif 000038
【図７】
2014212422.tif 000039
【図８】
2014212422.tif 000040
【図９】
2014212422.tif 000041
【図１０】
2014212422.tif 000042
【図１１】
2014212422.tif 000043
【図１２】
2014212422.tif 000044
【図１３】
2014212422.tif 000045
【図１４】
2014212422.tif 000046
【図１５】
2014212422.tif 000047